(57)【要約】【課題】通気性に優れ、かつ、臀部との密着性がよく、容易に洗浄することが可能な回転クッションを提供する。【解決手段】回転シートクッション１００は、弾力性を有するジェル又はエラストマー素材からなり、その表裏面を貫通する複数の貫通孔１１が設けられたクッションシート１０と、クッションシート１０を載置したベアリング式回転盤２０とを備える。クッションシート１０は着脱自在として容易に洗浄することが可能である。【選択図】図１
0003225608.tif 000002
【実用新案登録請求の範囲】
【請求項１】
弾力性を有するジェル又はエラストマー素材からなり、その表裏面を貫通する複数の貫通孔が設けられたクッションシートと、
前記クッションシートを載置したベアリング式回転盤と、
を備えることを特徴とする回転シートクッション。
【請求項２】
前記クッションシートの貫通孔が、格子状に設けられてなる請求項１に記載の回転シートクッション。
【考案の詳細な説明】
【技術分野】
【０００１】
本考案は、通気性に優れ、座り心地のよい回転可能なシートクッションに関する。
【背景技術】
【０００２】
従来から座面が回転する回転シートクッションが報告されている（例えば、特許文献１）。このような回転シートクッションは、底盤と回転盤とからなる台座の上にスポンジ及びカバーで組成されたクッションを載置し、回転盤の上で３６０度回転することを可能としたものである。
【先行技術文献】
【特許文献】
【０００３】
【特許文献１】実登３１０１７７０号公報
【考案の概要】
【考案が解決しようとする課題】
【０００４】
しかしながら、従来の回転クッションは、スポンジ製のクッションを使用しているため、通気性が悪く蒸れやすいという課題があった。また、スポンジは必ずしも臀部との密着性がよくなく、長時間使用すると変形したままとなってしまうというという問題があった。さらには、スポンジ製のクッションは洗浄を行いづらいという課題があった。
【０００５】
かかる状況下、本考案は、従来の回転クッションの欠点を改善した、通気性に優れ、かつ、臀部との密着性がよく、容易に洗浄することが可能な回転クッションを提供することを目的とする。
【課題を解決するための手段】
【０００６】
本考案者は、上記課題を解決すべく鋭意研究を重ねた結果、下記の考案が上記目的に合致することを見出し、本考案に至った。
【０００７】
すなわち、本考案は、以下の考案に係るものである。
＜１＞  弾力性を有するジェル又はエラストマー素材からなり、その表裏面を貫通する複数の貫通孔が設けられたクッションシートと、前記クッションシートを載置したベアリング式回転盤と、を備える回転シートクッション。
＜２＞  前記クッションシートの貫通孔が、格子状に設けられてなる＜１＞に記載の回転シートクッション。
【考案の効果】
【０００８】
本考案の回転シートクッションは、通気性に優れ、座り心地がよく、座ったままで体の向きや位置を変える動作を楽に行うことができる。また、クッションシートは、貫通孔が設けられ、ジェル又はエラストマー素材からなるため容易に洗浄することが可能である。
【図面の簡単な説明】
【０００９】
【図１】本考案の実施形態に係る回転シートクッションの斜視図である。
【図２】本考案の実施形態に係る回転シートクッションの平面図である。
【図３】図２におけるＡ−Ａ拡大断面図である。
【図４】本考案の実施形態に係る回転シートクッションの底面図である。
【図５】本考案の実施形態に係る回転シートクッションの使用態様を示す図である。
【考案を実施するための形態】
【００１０】
以下、本考案について例示物等を示して詳細に説明するが、本考案は以下の例示物等に限定されるものではなく、本考案の要旨を逸脱しない範囲において任意に変更して実施できる。
【００１１】
図１に本考案の実施形態に係る回転シートクッション１００の斜視図、図２に、回転シートクッション１００の平面図、図３に図２におけるＡ−Ａ拡大断面図、図４に回転シートクッション１００の底面図を示す。
【００１２】
図１に示すように本考案の実施形態に係る回転シートクッション１００は、クッションシート１０と、クッションシート１０を載置したベアリング式回転盤２０とを主要部として構成される。
【００１３】
図１〜図３に示すように、クッションシート１０は、複数の貫通孔１１が設けられている。本実施形態では、複数の貫通孔１１として、壁面１２から形成される格子状の貫通孔を有する。貫通孔１１は、それぞれクッションシート１０の表裏面を貫通するように形成される。
【００１４】
本実施形態に係るクッションシート１０は、適度な弾力性を備えるジェル又はエラストマー素材で形成されており、厚み約２．５ｃｍ、直径約４０ｃｍの略円形である。貫通孔１１はジェル素材の壁面で構成され、格子の１辺の長さは約２ｃｍである。また、クッションシート１０の円周部に接する壁面１２ａはＲ形状に構成されている。
【００１５】
本実施形態に係るクッションシート１０の形状や大きさ、貫通孔１１の形状、大きさ、数は目的とする通気性と適度な弾力性を備えることができる範囲で任意に選択できる。
例えば、本実施形態に係るクッションシート１０には格子状の貫通孔（すなわち、四角柱の貫通孔）が設けられているが、他の貫通孔として、例えば、三角柱状、六角形柱状（いわゆる、ハニカム構造）、円柱状等の形状の貫通孔を採用することもできる。
【００１６】
また、クッションシート１０を構成するジェル又はエラストマー素材は、複数の貫通孔を設けた状態で機械的強度を保つことができ、適度な弾力性を備える素材であれば、その種類は制限されず、クッションシート１０の形状や大きさ、貫通孔１１の形状、大きさ、数等に応じて適宜選択することができる。例えば、従来公知のジェル又はエラストマー素材として使用される素材（例えば、熱可塑性ゴム）が使用できる。
【００１７】
このように通気性を有し、適度な弾力性を備えるクッションシート１０は、使用者が着座した際に骨盤をサポートし、臀部の形に合わせて圧力を和らげることができ、また、通気性に優れるため、長時間座っていても蒸れて不快になることを回避できる。
【００１８】
ベアリング式回転盤２０は、クッションシート１０を載置させ、クッションシート１０を３６０度回転させることができる。
【００１９】
なお、クッションシート１０は、ベアリング式回転盤２０に接着剤等で固定して使用してもよいし、着脱できるように載置していてもよい。クッションシート１０が着脱式の場合、これを洗浄することが容易となる。また、本実施形態では、クッションシート１０をそのまま使用しているが、これにカバー（図示せず）で被覆してもよい。
【００２０】
ベアリング式回転盤２０の内部構造は、従来公知のベアリング式回転盤と同様である。その概要は、図３の断面図に示す通り、硬質プラスチック製の下盤２１と、上盤２２とを中心部で軸２３により回転自在に結着し、下盤２１及び上盤２２の向き合った面に、金属製の軸２３を中心とする円形環状の第１の環状凹溝２１ａ，２２ａ及び第２の環状凹溝２１ｂ，２２ｂが設けられ、リテーナー２４により遊動を制止した複数個の回転球２５を等間隔に配置させて環状凹溝（第１の凹溝２１ａ，２２ａ及び第２の環状凹溝２１ｂ，２２ｂ）に回転自在に介在させた構造を有する。
本実施形態では、下盤２１及び上盤２２、並びにリテーナー２４及び回転球２５はプラスチック製であるが、これに限定されず金属製であってもよい。
【００２１】
ベアリング式回転盤２０は、内部は空洞の多い構造であり、通気性を有する。
【００２２】
回転シートクッション１００は、その底面（すなわち、下盤２１の環状凹溝形成面の反対面）に図４に示すようにメッシュ体２６が設けられている。メッシュ体２６は、回転シートクッション１００を使用する場合においてすべり止めとして機能し、かつ、通気性を有する。
【００２３】
図５は、回転シートクッション１００の典型的な使用態様の一例を示す図である。本使用態様では、回転シートクッション１００は、自動車シート上に載置した状態で用いられる。この状態において、回転シートクッション１００は、その底面のメッシュ体２６により、自動車シートからずれることなく固定され、使用者が回転シートクッション１００に着座した状態で、クッションシート１０をベアリング式回転盤２０にて回転させることで、自動車からの乗り降りを容易にすることができる。
また、回転シートクッション１００を構成するクッションシート１０及びベアリング式回転盤２０は通気性に優れ、かつ、上述の通り、クッションシート１０は使用者が着座した際に骨盤をサポートし、臀部の形に合わせて圧力を和らげることができるため、高齢者のみならず、様々な年齢層の使用者が広く好適である。
【００２４】
以上、図面を参照して本考案の実施形態について述べたが、今回開示された実施形態はすべての点で例示であって制限的なものではなく、上記以外の様々な構成を採用することもできる。特に、今回開示された実施形態において、明示的に開示されていない事項は、当業者が通常実施する範囲を逸脱するものではなく、通常の当業者であれば、容易に想定することが可能な値を採用することができる。
【符号の説明】
【００２５】
１０  クッションシート
１１  貫通孔
１２  壁面
１２ａ  壁面    
２０  ベアリング式回転盤
２１  下盤
２１ａ  （下盤の）第１の環状凹溝
２１ｂ  （下盤の）第２の環状凹溝
２２  上盤
２２ａ  （上盤の）第１の環状凹溝
２２ｂ  （上盤の）第２の環状凹溝
２３  軸
２４  リテーナー
２５  回転球
２６  メッシュ体
１００  回転シートクッション
【図１】
0003225608.tif 000003
【図２】
0003225608.tif 000004
【図３】
0003225608.tif 000005
【図４】
0003225608.tif 000006
【図５】
0003225608.tif 000007